(57)【要約】【課題】Ｕ字状の共鳴振動板で相撲ゲーム盤を共鳴振動し、共鳴振動発生装置で共鳴振動調整、ゲーム盤、盤台遊嵌支持部で振動を調整した相撲ゲーム盤のスポーツ模擬ゲーム。【解決手段】Ｕ字型形状の共鳴振動板で相撲ゲーム盤を共鳴振動させ、共鳴振動発生装置で強共鳴振動の調整自在にし、Ｕ字型形状の共鳴振動板の上下方の相撲ゲーム盤側、ゲーム盤台側遊嵌支持部でスプリングバネを介して共鳴振動板をゲーム盤側、ゲーム盤台側調整ボルトで締付け相撲ゲーム盤の共鳴振動を適宜に調整し、ゲーム遊戯に新規な相撲ゲーム盤のスポーツ模擬ゲーム。【選択図】図１
2007068691.tif 000002
【特許請求の範囲】
【請求項１】
二つに分け上下方にしたＵ字型形状の共鳴振動板の自然共鳴周波数で相撲ゲーム盤を共鳴振動させ、相撲ゲーム盤台のＵ字型形状の共鳴振動板で自然共鳴周波数で相撲ゲーム盤を共鳴振動させ、共鳴振動発生装置で自然共鳴周波数の強弱の共鳴振動を調整自在にし、Ｕ字型形状の共鳴振動板を二つに分けた上下方の、下方は相撲ゲーム盤台側遊嵌支持部で自然共鳴周波数を共鳴振動可能に遊嵌取着し、ゲーム盤側調整ボルトで自然共鳴周波数を制限規制と調整自在にし、Ｕ字型形状の共鳴振動板の二つに分けた上下の、下方は相撲ゲーム盤側遊嵌支持部で自然共鳴周波数を共鳴振動可能に遊嵌取着し、ゲーム盤台側調整ボルトで自然共鳴周波数を制限規制と調整自在にし、Ｕ字タイプの相撲力士の胸部で、立会い時の相撲力士の突き倒しが見らる相撲ゲーム盤のスポーツ模擬ゲーム。
【発明の詳細な説明】
【技術分野】
【０００１】
本発明はこれまでに知られている手のほかに、電磁マグネット及び電動モータを使用したゲーム盤を直接叩いて振動を与えて相撲力士をゲーム盤上で振動動作させ戦わせるようにした相撲ゲーム盤のスポーツ模擬ゲームに関る。
【背景技術】
【０００２】
従来の相撲ゲーム盤においては、相撲力士をゲーム盤上で振動動作させるものを、手のほかに電磁マグネットの作動片を振動させるものと、電動モータで首振り回転するコイルスプリングの先端でゲーム盤を叩き相撲力士を振動動作させ戦わせる相撲ゲーム盤のスポーツ模擬ゲームがある。
【発明の開示】
【発明が解決しようとする課題】
【０００３】
本発明は、従来の手のほかに、電磁マグネットの作動片を振動動作させるものと、電動モータで首振り回転するコイルスプリングの先端でゲーム盤を叩き相撲力士を振動動作させる遊戯の方法では単調な遊びに終始し、すぐ飽きてしまう欠点があった、本発明はこの点に艦がみなされたもので、相撲ゲーム盤をどのようにして共鳴振動させるかの課題と、共鳴振動板をどういう構成にし相撲ゲーム盤台に枢着し、自然共鳴周波数を連続発生させるのをどういう構成にするか、発生する自然共鳴周波数の共鳴振動板をどのように遊嵌取着し、発生する強自然共鳴周波数の強共鳴振動をどう制限規制し、強共鳴振動をどう適宜振動に調整自在にするかの課題で、相撲ゲーム盤上の相撲力士がゲーム遊戯に趣向を凝らした相撲ゲームの展開をするスポーツ模擬ゲームである。
【課題を解決するための手段】
【０００４】
本発明は、二つに分け上下方にしたＵ字型形状の共鳴振動板の自然共鳴周波数で相撲ゲーム盤を共鳴振動させる手段で課題を解決し、相撲ゲーム盤台のＵ字型形状の共鳴振動板で自然共鳴周波数で相撲ゲーム盤を共鳴振動させ、共鳴振動発生装置で自然共鳴周波数の強弱の共鳴振動を調整自在にし、自然共鳴周波数の共鳴振動を調整し得る手段で課題を解決し、Ｕ字型形状の共鳴振動板の二つに分けた上下方の、下方のゲーム盤台側遊嵌支持部でスプリングバネを介して下方の共鳴振動板を自然共鳴周波数の共鳴振動可能に遊嵌取着し、ゲーム盤台側調整ボルトでスプリングバネを締付け、ゲーム盤台側遊嵌支持部で押え付け自然共鳴周波数を制限規制と調整自在にし、Ｕ字型形状の共鳴振動板の二つに分けた上下方の、上方はゲーム盤側遊嵌支持部でスプリングバネを介して上方の共鳴振動板を自然共鳴周波数の共鳴振動可能に遊嵌取着し、ゲーム盤側調整ボルトでスプリングバネを締付け、ゲーム盤側遊嵌支持部で押え付け自然共鳴周波数を制限規制と調整自在にしたから、上方の共鳴振動板の先端に設けた相撲ゲーム盤を強自然共鳴周波数で共鳴振動させるために下方の共鳴振動板をゲーム盤台側調整ボルトを強制的に締付け、ゲーム盤台側遊嵌支持部で押え付け振動を停止させ、相撲ゲーム盤を取着した上方の共鳴振動板をゲーム盤側調整ボルトを適宜に締付け強自然共鳴周波数の共鳴振動板をゲーム盤側遊嵌支持部で押え調整して、適宜な自然共鳴周波数の共鳴振動により相撲ゲーム盤の自然共鳴周波数の共鳴振動を良好なものに調整し得る手段で課題を解決し、Ｕ字タイプの相撲力士に首から胸へと模した胸部を設けて、立会い時に、相撲力士の突き出す左右腕の手が、首から胸へと模した胸部に当たり相撲力士の突き倒しが見られるゲーム遊戯に趣向を凝らした相撲ゲーム盤のスポーツ模擬ゲームとしたものである。
【発明の効果】
【０００５】
本発明は上述したように二つに分け上下方にしたＵ字型形状の共鳴振動板の自然共鳴周波数で相撲ゲーム盤を共鳴振動させ、相撲ゲーム盤台のＵ字型形状の共鳴振動板の自然共鳴周波数で相撲ゲーム盤を共鳴振動させ、共鳴振動発生装置で自然共鳴周波数の強弱の共鳴振動を調整自在にし、自然共鳴周波数の共鳴振動を調整し得るようにし、Ｕ字型形状の共鳴振動板の二つに分けた上下方の、下方はゲーム盤台側遊嵌支持部でスプリングバネを介して下方の共鳴振動板を自然共鳴周波数の共鳴振動可能に遊嵌取着し、ゲーム盤台側調整ボルトでスプリングバネを締付け、ゲーム盤台側遊嵌支持部で押え付け自然共鳴周波数を制限規制と調整自在にし、Ｕ字型形状の共鳴振動板の二つに分けた上下方の、上方はゲーム盤側遊嵌支持部でスプリングバネを介して上方の共鳴振動板を自然共鳴周波数の共鳴振動可能に遊嵌取着し、ゲーム盤側調整ボルトでスプリングバネを締付け、ゲーム盤側遊嵌支持部で押え付け自然共鳴周波数を制限規制と調整自在にしたから、相撲ゲーム盤を取着した上方の共鳴振動板をゲーム盤側調整ボルトを適宜に締付け強自然共鳴周波数の共鳴振動板をゲーム盤側遊嵌支持部で押え付け調整して、上下方の共鳴振動板を適宜に自然共鳴周波数の共鳴振動により上方の相撲ゲーム盤を共鳴振動させて、相撲ゲーム盤上で自然共鳴周波数の共鳴振動のゲーム遊戯に違った趣向を凝らすことが出来、Ｕ字タイプの相撲力士に首から胸へと模した胸部を設け、立会い時に相撲力士の突き出した左右腕の手が、首から胸へと模した胸部に当たり突き倒しが見られる相撲力士のゲーム遊戯に趣向を凝らした相撲ゲーム盤のスポーツ模擬ゲームである。
【発明を実施するための最良の形態】
【０００６】
以下、本発明の実施の形態を図１〜図３に基づいて説明する。
【実施例】
【０００７】
図１で本発明を説明すると、６は二つに分け上下方にしたＵ字型形状の共鳴振動板である。二つに分けた上下方にしたＵ字型形状の共鳴振動板６で自然共鳴周波数の共鳴振動を有する構成にしたから、その自然共鳴周波数で相撲ゲーム盤を共鳴振動させるようにしたものである。
相撲ゲーム盤台４でＵ字型形状の共鳴振動板６を共鳴振動版取付金具１６で枢着させ、相撲ゲーム盤台４のＵ字型形状の共鳴振動板６に自然共鳴周波数を発生させるようにして相撲ゲーム盤を共鳴振動板させ、共鳴振動発生装置１８で自然共鳴周波数の強弱の共鳴振動を調整自在にし、自然共鳴周波数の共鳴振動を調整し得るようにし、この場合に１例として共鳴振動発生装置１８はＵ字型形状の共鳴振動板６にカム９を嵌挿して回転自在に電動モータ３に枢着し、電動モータ３でカム９の回転速度を調整自在にし、Ｕ字型形状の共鳴振動板６はカム９を回転させる電動モータ３を可変抵抗１０を上下させ、回転速度を加速させて、Ｕ字型形状の共鳴振動板盤６の自然共鳴周波数を強弱の共鳴振動を発生させるようにした共鳴振動発生装置１８で発生する自然共鳴周波数で相撲ゲーム盤５は共鳴振動させるようにしたものである。
Ｕ字型形状の共鳴振動板６の二つに分けた上下方の、上方のゲーム盤側遊嵌支持部１１でスプリングバネ１７を介して上方の共鳴振動板６を共鳴振動可能に遊嵌取着し、ゲーム盤側調整ボルト７でスプリングバネ１７を締付け、ゲーム盤側遊嵌支持部１１で自然共鳴周波数を適宜に制限規制と調整自在にし、Ｕ字型形状の共鳴振動板の二つに分けた上下の、下方は相撲ゲーム盤台側遊嵌支持部１２でスプリングバネ１７を介して下方の共鳴振動板６を共鳴振動可能に遊嵌取着し、自然共鳴周波数調整ボルト８でスプリングバネ１７を締付け、ゲーム盤台側遊嵌支持部１２で自然共鳴周波数を適宜に制限規制と調整自在にしたものである。
相撲ゲーム盤台４に共鳴振動板取付金具１６で枢着したＵ字型形状の共鳴振動板６は二つに分けた上下の、上方先端には共鳴振動板取着片１５を介して相撲ゲーム盤台４の上方に相撲ゲーム盤５を設けるようにしてある。
図２で本発明の共鳴振動発生装置１８の１例を示す電気回路で、図について説明する。  スイッチ１４を閉じて、電池１３より可変抵抗１０に入り、可変抵抗１０の抵抗値を上下させ可変し、電動モータ３の回転速度を調整自在にして、回転速度を高速回転させＵ字型形状の共鳴振動板６はカム９の高速回転で共鳴振動板６に発生する強自然共鳴周波数に出来、強自然共鳴周波数の強共鳴振動で相撲ゲーム盤５を強共鳴振動させるものである。  この強共鳴振動に対し、Ｕ字型形状の共鳴振動板６の二つに分けた上下方の、上方はゲーム盤側遊嵌支持部１１で共鳴振動が可能に遊嵌取着され、ゲーム盤側調整ボルト７でスプリングバネ１７を締付け押え付け、ゲーム盤側遊嵌支持部１１で強自然共鳴周波数でも適宜に制限規制と調整出来、Ｕ字型形状の共鳴振動板６の二つに分けた上下方の、下方はゲーム盤台側遊嵌支持部１２で共鳴振動が可能に遊嵌取着し、ゲーム盤台側調整ボルト８でスプリングバネ１７を締付け、ゲーム盤台側遊嵌支持部１２で強自然共鳴周波数を適宜に制限規制と調整出来、強自然共鳴周波数の強共鳴振動でも相撲ゲーム盤上においてゲーム遊戯に趣向を凝らしたものが得られる。
上述の強自然共鳴周波数の強共鳴振動に対し、Ｕ字型形状の共鳴振動板６を二つに分けた上下方の、下方は共鳴振動板６のゲーム盤台側遊嵌支持部１２で下方の共鳴振動板６をスプリングバネ１７を介してゲーム盤台側調整ボルト８で強制的に締付け共鳴振動を停止させ、Ｕ字型形状の共鳴振動板６の二つの分けた上下方の、上方の共鳴振動板６を、ゲーム盤側遊嵌支持部１１で上方の共鳴振動板６をスプリングバネ１７を介してゲーム盤側調整ボルト７で適宜に締付け強自然共鳴周波数の強共鳴振動を適宜調整して相撲ゲーム盤５を上方の共鳴振動板の１個で対応させるようににして従来よりゲーム遊戯に趣向を凝らした展開に出来るようにしたものである。
図３は、相撲力士１を左右腕を平行に突き出す姿勢のものが従来の相撲力士１のスタイルであり、相撲力士１を右四つの姿勢と、左四つの姿勢とし相撲力士１の右左腕の位置を右四つは右を高く、左腕を低くし、相撲力士１の左四つは左を高く、左を低くした相撲力士１としたものである。
本発明は、ゲーム遊戯に使用するＵ字タイプの相撲力士１に首から胸へと模した胴部２を設けて、ゲーム遊戯で立会い時に、平行に突き出した左右腕の手が、首から胸へと模した胸部に当たり、相撲力士１の突き倒しが見られる相撲力士１によるゲーム遊戯に趣向を凝らした構成にしたものである。
【産業上の利用可能性】
【０００８】
本発明は、二つに分けた上下方にしたＵ字型形状の共鳴振動板の自然共鳴周波数で相撲ゲーム盤を共鳴振動させ、相撲ゲーム盤に枢着したＵ字型形状の共鳴振動板の自然共鳴周波数で相撲ゲーム盤を共鳴振動させ、共鳴振動発生装置で自然共鳴周波数の強弱の共鳴振動を調整自在にし、自然共鳴周波数の共鳴振動に調整し得るようにし、Ｕ字型形状の共鳴振動板の二つに分けた上下方を遊嵌取着したゲーム盤側、ゲーム盤台側遊嵌支持部でゲーム盤側、ゲーム盤台側調整ボルトを締付け押え付けさせて、下方の共鳴振動板を強制的に共鳴振動の振動を停止させ、上方の１個の共鳴振動板のみで相撲ゲーム盤を強自然共鳴周波数で対応させ、ゲーム盤側遊嵌支持部で締付け押え付けゲーム遊戯するに適宜に且つ、使い勝手に共鳴振動を調整出来、Ｕ字タイプの相撲力士に首から胸へと模した胸部を設けて、ゲーム遊戯で立会い時に相撲力士の突き倒しが見られる相撲力士によるゲーム遊戯に趣向を凝らした相撲ゲーム盤のスポーツ模擬ゲーム。
【図面の簡単な説明】
【０００９】
【図１】本発明の相撲ゲーム盤のスポーツ模擬ゲームである。
【図２】本発明の相撲ゲーム盤のスポーツ模擬ゲームの要部詳細及び電気回路図である。
【図３】本発明のＵ字タイプの相撲力士に胸部を設けた相撲力士の説明図である。。
【符号の説明】
【００１０】
１    相撲力士                          ２    胸部         
３    電動モータ                        ４    相撲ゲーム盤台
５    相撲ゲーム盤                      ６    共鳴振動板                                  
７    ゲーム盤側調整ボルト              ８    ゲーム盤台側調整ボルト
９    カム                              １０  可変抵抗
１１  ゲーム盤側遊嵌支持部              １２  ゲーム盤台側遊嵌支持部
１３  電池                              １４  スイッチ
１５  共鳴振動板取着片                  １６  共鳴振動板取付金具
１７  スプリングバネ                    １８  共鳴振動発生装置
【図１】
2007068691.tif 000003
【図２】
2007068691.tif 000004
【図３】
2007068691.tif 000005